(57)【要約】【課題】現場での作業の効率化と、高精度の貨物トラッキング情報を提供できる貨物トラッキングシステムを提供する。【解決手段】貨物トラッキングシステム１０１において、業務粒度の貨物トラッキング情報を基本情報として入力し、業務粒度データベース１０６に格納する業務粒度登録処理部１０５と、貨物粒度の貨物トラッキング情報を差分情報として入力し、差分情報データベース１１２に格納する差分情報登録処理部１１１と、業務粒度データベース１０６に格納された業務粒度の貨物トラッキング情報および差分情報データベース１１２に格納された差分情報に基づいて、業務粒度の貨物トラッキング情報のうち、差分情報に対応する貨物に関する貨物トラッキング情報を補正する差分処理部１１４とを備えた。【選択図】図１
2011145914.tif 000002
【特許請求の範囲】
【請求項１】
貨物の輸送における前記貨物のトラッキング情報を管理する貨物トラッキングシステムにおける貨物トラッキング情報補正方法であって、
前記貨物トラッキングシステムにより、前記貨物が纏まって管理される業務粒度の貨物トラッキング情報を基本情報として管理し、前記貨物の輸送に関して、ある貨物に関して貨物単位の情報となる貨物粒度の貨物トラッキング情報を差分情報として入力し、入力された前記差分情報に基づいて、前記業務粒度の貨物トラッキング情報のうち、前記差分情報に対応する貨物に関する貨物トラッキング情報を補正することを特徴とする貨物トラッキング情報補正方法。
【請求項２】
請求項１に記載の貨物トラッキング情報補正方法において、
前記貨物トラッキングシステムにより、前記業務粒度の貨物トラッキング情報に、前記差分情報に対応する貨物の貨物トラッキング情報が無い場合、前記差分情報に対応する貨物以外の貨物に関する貨物トラッキング情報を補正することを特徴とする貨物トラッキング情報補正方法。
【請求項３】
請求項２に記載の貨物トラッキング情報補正方法において、
前記貨物粒度の情報は、前記貨物に付けられたバーコードまたはＲＦ−ＩＤを用いて取得することを特徴とする貨物トラッキング情報補正方法。
【請求項４】
貨物の輸送における前記貨物のトラッキング情報を管理する貨物トラッキングシステムであって、
前記貨物が纏まって管理される業務粒度の貨物トラッキング情報を基本情報として入力し、業務粒度データベースに格納する業務粒度登録処理部と、
前記貨物の輸送に関して、ある貨物に関して貨物単位の情報となる貨物粒度の貨物トラッキング情報を差分情報として入力し、差分情報データベースに格納する差分情報登録処理部と、
前記業務粒度データベースに格納された前記業務粒度の貨物トラッキング情報および前記差分情報データベースに格納された前記差分情報に基づいて、前記業務粒度の貨物トラッキング情報のうち、前記差分情報に対応する貨物に関する貨物トラッキング情報を補正する差分処理部とを備えたことを特徴とする貨物トラッキングシステム。
【請求項５】
請求項４に記載の貨物トラッキングシステムにおいて、
前記業務粒度データベースに格納された前記業務粒度の貨物トラッキング情報および前記差分情報データベースに格納された前記差分情報に基づいて、前記業務粒度の貨物トラッキング情報に、前記差分情報に対応する貨物の貨物トラッキング情報が無い場合、前記差分情報に対応する貨物以外の貨物に関する貨物トラッキング情報を補正する生成処理部を備えたことを特徴とする貨物トラッキングシステム。
【発明の詳細な説明】
【技術分野】
【０００１】
本発明は、貨物輸送において、船荷証券、通関書類、パッキングリストなど帳票粒度や、船、貨物列車など輸送手段粒度といった業務粒度での貨物トラッキング情報を基本情報として、倉庫、保税地などの現場で、実際の貨物輸送状況を確認して実貨物やコンテナ単位での貨物粒度での情報により補正することを可能とする貨物トラッキング情報補正方法および貨物トラッキングシステムに関するものである。
【背景技術】
【０００２】
以下の説明において、貨物トラッキング情報とは、貨物輸送時における通関日、出港日などの作業が完了した時間情報を指すものとする。
【０００３】
従来の貨物トラッキング情報の取得方法については発注先の業者より、船荷証券、インボイスなどの帳票粒度や移動手段粒度といった業務粒度で情報の提供を受ける場合と、ＲＦ−ＩＤ、バーコードなどを用いた貨物粒度での情報提供の場合と大きく２通り存在するが、以下にそれぞれ説明する。
【０００４】
まず、発注先の業者より、帳票粒度、輸送手段粒度など業務粒度で情報の提供を受ける方法について説明する。この方法は、貨物を取り扱う業者が、それぞれ業務で扱う粒度での貨物トラッキング情報を提供する方法である。例えば、特開２００２−３１２４４６号公報（特許文献１）には、輸送べセルスケジュール情報の提供について記載されている。
【０００５】
この場合は、船会社がデータ粒度として船単位での出港情報の提供を行っており業務粒度は船である。つまり、当該船に搭載される貨物はすべて同一日での出港扱いとなる。
【０００６】
また、貨物粒度での情報提供は、梱包した貨物単位もしくはコンテナ単位といった荷姿を対象として、貨物トラッキング情報を提供する方法である。この方法は、現場では、ＲＦ−ＩＤ、バーコードなどを貨物に貼り付け、読取装置を用いて、貨物トラッキング情報を取得し、システムに登録する。
【先行技術文献】
【特許文献】
【０００７】
【特許文献１】特開２００２−３１２４４６号公報
【発明の概要】
【発明が解決しようとする課題】
【０００８】
従来の業務粒度で情報の提供を受ける場合では、データ提供は容易であるが、帳票といった纏った単位での情報であり、例えばその中の要素で積み忘れ貨物などが発生しても補正ができず、高精度に確認することはできないという問題があった。
【０００９】
また、貨物粒度での情報提供の場合では、貨物粒度での情報確認となるため、貨物量によっては膨大な作業となるという問題があった。
【００１０】
このように、上記のような２つの方法では、効率的に高精度の貨物トラッキング情報を登録、格納することは困難であった。
【００１１】
本発明の目的は、２つの方法の特長を活かし、貨物トラッキング情報の大半については業務粒度での情報を活用し、現場での積み忘れなどによる差分情報については、業務粒度での情報からの差分のみ貨物粒度で補正情報として取り扱うことで、現場での作業の効率化と、高精度の貨物トラッキング情報を提供できる貨物トラッキング情報補正方法および貨物トラッキングシステムを提供することである。
【課題を解決するための手段】
【００１２】
本願において開示される発明のうち、代表的なものの概要を簡単に説明すれば、次の通りである。
【００１３】
すなわち、代表的なものの概要は、貨物トラッキングシステムにより、貨物が纏まって管理される業務粒度の貨物トラッキング情報を基本情報として管理し、貨物の輸送に関して、ある貨物に関して貨物単位の情報となる貨物粒度の貨物トラッキング情報を差分情報として入力し、入力された差分情報に基づいて、業務粒度の貨物トラッキング情報のうち、差分情報に対応する貨物に関する貨物トラッキング情報を補正するものである。
【発明の効果】
【００１４】
本願において開示される発明のうち、代表的なものによって得られる効果を簡単に説明すれば以下の通りである。
【００１５】
すなわち、代表的なものによって得られる効果は、大枠の情報は業務粒度でのトラッキング情報を活用し、積み忘れなどの差分情報を補正情報として活用することで、効率的に高精度の貨物トラッキング情報の管理が可能となる。
【００１６】
また、業務粒度での情報と差分情報の情報の登録順序に依存せず、データの生成が可能である。これにより、データを登録する側の作業効率の向上と、データを格納、検索する側での高精度なデータの入手を行うことが可能となる。
【図面の簡単な説明】
【００１７】
【図１】本発明の一実施の形態に係る貨物トラッキングシステムの構成を示す構成図である。
【図２】本発明の一実施の形態に係る貨物トラッキングシステムで使用されるテーブルの一例を示す図である。
【図３】本発明の一実施の形態に係る貨物トラッキング情報補正方法を用いた貨物トラッキングシステムの全体処理を示すフローチャートである。
【図４】本発明の一実施の形態に係る貨物トラッキング情報補正方法を用いた貨物トラッキングシステムの差分処理を示すフローチャートである。
【図５】本発明の一実施の形態に係る貨物トラッキング情報補正方法を用いた貨物トラッキングシステムの差分処理での各テーブルの更新を説明するための説明図である。
【図６】本発明の一実施の形態に係る貨物トラッキング情報補正方法を用いた貨物トラッキングシステムの生成処理を示すフローチャートである。
【図７】本発明の一実施の形態に係る貨物トラッキング情報補正方法を用いた貨物トラッキングシステムの生成処理での各テーブルの更新を説明するための説明図である。
【発明を実施するための形態】
【００１８】
以下、本発明の実施の形態を図面に基づいて詳細に説明する。なお、実施の形態を説明するための全図において、同一の部材には原則として同一の符号を付し、その繰り返しの説明は省略する。
【００１９】
本実施の形態においては、通常のケースと想定する帳票などによる業務粒度での登録情報を基本情報とし、貨物などの実物流の差分情報を用いて貨物トラッキング情報を補正する場合と、実物流の差分情報のみを用いて貨物トラッキング情報を補正する場合について説明する。
【００２０】
図１により、本発明の一実施の形態に係る貨物トラッキングシステムの構成について説明する。図１は本発明の一実施の形態に係る貨物トラッキングシステムの構成を示す構成図である。
【００２１】
図１において、貨物トラッキングシステム１０１は、業務粒度登録処理部１０５、業務粒度データベース１０６、差分情報登録処理部１１１、差分情報データベース１１２、差分処理部１１４、実物流情報データベース１１５、生成処理部１１７、検索処理部１２１から構成されている。
【００２２】
業務粒度データベース１０６には、業務粒度テーブル１０７が格納され、差分情報データベース１１２には、差分情報テーブル１１３が格納され、実物流情報データベース１１５には、実物流情報テーブル１１６が格納されている。
【００２３】
また、貨物トラッキングシステム１０１には、業務粒度入力者１０２が操作する業務粒度登録ツール１０３、差分情報入力者１０８が操作する差分情報登録ツール１０９、情報検索者１１８が操作する情報検索ツール１１９が接続され、各種情報の入力や検索が行われる。
【００２４】
本実施の形態では、業務粒度で登録する業務粒度入力者１０２、積み忘れなどの実貨物の差分情報を入力する差分情報入力者１０８、実物流情報を検索する情報検索者１１８がいることを前提としている。
【００２５】
また、貨物トラッキングシステム１０１は、以下に説明する貨物トラッキング情報補正方法を用いて情報を管理している。
【００２６】
業務粒度入力者１０２は、端末にインストールもしくはＷｅｂブラウザなどで機能が実装されている業務粒度登録ツール１０３を使用して、貨物トラッキング情報（業務粒度）１０４を、貨物トラッキングシステム１０１に実装される業務粒度登録処理部１０５を用いて業務粒度データベース１０６内の業務粒度テーブル１０７に登録する。
【００２７】
差分情報入力者１０８は、端末にインストールもしくはＷｅｂブラウザなどで機能が実装されている差分情報登録ツール１０９を使用して、積み残しなどの貨物を対象とした貨物トラッキング情報（差分情報）１１０を、貨物トラッキングシステム１０１に実装される差分情報登録処理部１１１を用いて差分情報データベース１１２内の差分情報テーブル１１３に登録する。
【００２８】
差分情報登録処理１１１では、ＲＦ−ＩＤやバーコードを貨物に貼り付け、トラッキングポイントの処理終了時に読取装置で読み取ることにより入力の簡素化を図ることも考えられる。
【００２９】
貨物トラッキングシステム１０１は、差分処理部１１４または生成処理部１１７を用いて、実物流情報データベース１１５内の実物流情報テーブル１１６に貨物トラッキング情報１２２を格納する。
【００３０】
情報検索者１１８は、端末にインストールもしくはＷｅｂブラウザなどで機能が実装されている情報検索ツール１１９を用いて検索要求１２０を貨物トラッキングシステム１０１に出し、貨物トラッキングシステム１０１では検索処理部１２１を用いて実物流情報データベース１１５を検索し、貨物トラッキング情報１２２を取得する。
【００３１】
次に、図２により、本発明の一実施の形態に係る貨物トラッキングシステムで使用されるテーブルについて説明する。図２は本発明の一実施の形態に係る貨物トラッキングシステムで使用されるテーブルの一例を示す図である。
【００３２】
業務粒度テーブル１０７上では、識別キーとして活用する帳票番号５０１、貨物ＩＤ５０２を保有する。個別の貨物は帳票番号５０１と貨物ＩＤ５０２の複合キーで識別する。また、業務粒度のデータ登録時においては帳票番号５０１を活用する。
【００３３】
トラッキングポイント５０３では、出港日５０６、到着日５０７といった貨物トラッキング対象の各ポイントを設定し、それぞれの実際発生した日付を表示する。
【００３４】
位置情報５０４では、トラッキングポイント５０３での実績情報を用いて各貨物の位置情報を示す。例えば、出港済で未だ現地到着前の貨物については洋上といった表示である。業務粒度テーブル１０７での位置情報５０４は書類上の位置情報を表示するため、書類上位置５０８の扱いとなる。
【００３５】
属性情報５０５では貨物のその他属性情報を格納する。例えば、積地５０９、揚地５１０などが格納対象となる。
【００３６】
差分情報テーブル１１３については、業務粒度テーブル１０７と同一の項目を格納するが、追加して差分発生情報５１１を格納する。ここでは、差分が判明した日付を格納する判明日５１２、積み忘れなどの原因を格納する原因５１３を情報として格納する。
【００３７】
実物流情報テーブル１１６については、格納項目は業務粒度テーブル１０７と同一である。
【００３８】
次に、図３〜図７により、本発明の一実施の形態に係る貨物トラッキング情報補正方法を用いた貨物トラッキングシステムによる処理について説明する。図３〜図７は本発明の一実施の形態に係る貨物トラッキング情報補正方法を用いた貨物トラッキングシステムによる処理を説明するための説明図であり、図３は貨物トラッキングシステムの全体処理を示すフローチャート、図４は貨物トラッキングシステムの差分処理を示すフローチャート、図５は差分処理での各テーブルの更新を説明するための説明図、図６は生成処理を示すフローチャート、図７は生成処理での各テーブルの更新を説明するための説明図である。
【００３９】
全体処理としては、図３に示すように、まず、貨物トラッキングシステム１０１では周期的なバッチ処理もしくは、情報が登録される都度、ステップ２０１において差分貨物フラグの有無について確認する。
【００４０】
ここで差分貨物フラグとは、差分情報入力者１０８が登録する貨物トラッキング情報（差分情報）１１０が登録される場合は「有」となり、業務粒度入力者１０２が登録する貨物トラッキング情報（業務粒度）１０４が登録される場合は「無」となる。
【００４１】
ステップ２０１でＮｏの場合は、積み忘れなどの差分が発生しないケースであり、その場合はステップ２０２、ステップ２０３を経て、業務粒度テーブル１０７に登録されている情報がそのまま実物粒情報テーブル１１６に登録される。
【００４２】
また、ステップ２０１でＹｅｓの場合は、ステップ２０４により差分情報テーブル１１３に該当の情報が登録され、ステップ２０５に進む。ステップ２０５では該当情報と同一の帳票番号５０１の貨物情報に、業務粒度テーブル１０７上で該当するトラッキングポイントの日付が入っているか否かを確認する。
【００４３】
ステップ２０５でＹｅｓの場合は、ステップ２０６で差分処理部１１４での処理を実施する。ステップ２０５でＮｏの場合は、ステップ２０７で生成処理部１１７での処理を実施する。
【００４４】
ここで、差分処理部１１４での処理について説明する。
【００４５】
差分処理部１１４では、図４に示すように、まず、ステップ３０１では、差分情報テーブル１１３上の業務粒度テーブル１０７上の差分情報に関し、同一の帳票番号５０１を保有するレコードを検索し抽出を行っている。
【００４６】
ステップ３０２では、検索し抽出したレコードの内容については、差分情報テーブル１１３上の同一の貨物情報で格納している内容を使用し、その他のレコードについては、業務粒度テーブル１０７に格納されている同一貨物の情報を使用して更新する。
【００４７】
この差分処理部１１４での処理では、各テーブルの更新は、図５に示すようになる。
【００４８】
まず、図５に示す差分情報テーブル１１３内での差分対象レコード６０１の貨物ＩＤ６０２と、属性情報である帳票番号６０３について確認する。図５に示す例では、貨物ＩＤ６０２は０００３、帳票番号６０３は１である。
【００４９】
業務粒度テーブル１０７上で同一の貨物ＩＤ６０２および帳票番号６０３を保有するレコードを検索すると、レコード６０４が該当する。実物流情報テーブル１１６には、同一の帳票番号６０３のレコードのうち、レコード６０５以外のものについては、業務粒度テーブル１０７に格納されている内容で更新するため、レコード群６０５のレコードと同一の内容が、レコード群６０６に格納される。
【００５０】
また、実物流情報テーブル１１６内のレコード６０７には、差分情報であるレコード６０１と同一の項目内容が反映される。この例では、出港日に実績日が入らず、現在位置は横浜のままであるという情報が格納される。
【００５１】
この処理により、通常の帳票などによる業務粒度での登録情報により処理されているが、実貨物やコンテナ単位での貨物粒度での積み忘れなどの差分情報により、貨物トラッキング情報を補正することができ、高精度の貨物トラッキング情報を提供することができる。
【００５２】
ここで、生成処理部１１７での処理について説明する。
【００５３】
生成処理部１１７では、図６に示すように、まず、ステップ４０１では、差分情報テーブル１１３上の差分情報に関し、業務粒度テーブル１０７上の同一の帳票番号５０１を保有するレコードを検索し抽出を行っている。
【００５４】
ステップ４０２では、ステップ４０１で抽出したレコードのうち、当該差分情報以外の貨物ＩＤ５０２を抽出している。ステップ４０３では、差分処理対象貨物情報レコード上の判明日５１２を抽出している。ステップ４０４では、実物流情報テーブル１１６に対し、ステップ４０２で抽出した貨物ＩＤ５０２のレコードの該当トラッキングポイントにステップ４０３で抽出した判明日５１２を入力することで実績情報を更新している。
【００５５】
この生成処理部１１７での処理では、各テーブルの更新は、図７に示すようになる。
【００５６】
まず、図７に示す差分情報テーブル１１３内での差分対象レコード７０１の帳票番号７０２、貨物ＩＤ７０３、判明日７０４について確認する。図７に示す例では、帳票番号７０２は１、貨物ＩＤ７０３は０００３、判明日７０４は２００９／９／１である。
【００５７】
業務粒度テーブル１０７で同一の帳票番号７０２を保有するレコードを検索すると、レコード群７０５が該当する。この例では、帳票番号７１０について、帳票番号７０２と同一の１となっている。
【００５８】
実物流情報テーブル１１６上では、差分情報テーブル１１３上の差分対象レコード７０１については同一情報をレコード７０６として格納する。
【００５９】
帳票番号７０２と一致し、貨物ＩＤ７０３が異なるレコード群７１１については、実物流情報テーブル１１６に情報格納する際には以下のような処理となる。まず、業務粒度テーブル１０７上のレコード群７１１の情報と同一の情報を実物流情報テーブルに格納する。
【００６０】
次に、差分情報テーブル１１３上の判明日７０４を、実物粒情報テーブル１１６上のトラッキングポイントである出港日７０８に、判明日７０４を格納する。この例では、差分情報テーブル１１３の格納対象外であるレコード７０７については、出港したものとみなし、出港日は２００９／９／１とみなしている。
【００６１】
また、実物流情報テーブル１１６上の現在位置７０９については、トラッキングポイントの反映進捗状態に合わせて該当する位置を反映する。この例では、出港日の実績があり、到着日の実績がないことから、洋上扱いとなっている。
【００６２】
この処理により、通常の帳票などによる業務粒度での登録情報により処理されているが、帳票の処理において、入力ミスなどがあり、すでに出港しているにもかかわらず、貨物トラッキング情報に反映されていない場合などで、実貨物やコンテナ単位での貨物粒度での積み忘れなどの差分情報により、同じ帳票番号の貨物などで、差分情報として入力された貨物以外の貨物トラッキング情報を補正することができ、高精度の貨物トラッキング情報を提供することができる。
【００６３】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６４】
例えば、本実施の形態では、業務粒度の情報として帳票番号、貨物粒度の情報として、貨物ＩＤで説明したが、業務粒度の情報に対して、複数の貨物粒度の情報が存在しており、貨物粒度の情報が差分情報として取得できる環境であれば、粒度として、どのような情報を用いてもよい。
【産業上の利用可能性】
【００６５】
本発明は、貨物輸送において、船荷証券、通関書類、パッキングリストなど帳票粒度や、船、貨物列車など輸送手段粒度といった業務粒度での貨物トラッキング情報を基本情報として、貨物トラッキング情報管理するシステムなどに広く適用可能である。
【符号の説明】
【００６６】
１０１…貨物トラッキングシステム、１０２…業務粒度入力者、１０３…業務粒度登録ツール、１０５…業務粒度登録処理部、１０６…業務粒度データベース、１０７…業務粒度テーブル、１０８…差分情報入力者、１０９…差分情報登録ツール、１１１…差分情報登録処理部、１１２…差分情報データベース、１１３…差分情報テーブル、１１４…差分処理部、１１５…実物流情報データベース、１１６…実物流情報テーブル、１１７…生成処理部、１１８…情報検索者、１１９…情報検索ツール、１２１…検索処理部。
【図１】
2011145914.tif 000003
【図２】
2011145914.tif 000004
【図３】
2011145914.tif 000005
【図４】
2011145914.tif 000006
【図５】
2011145914.tif 000007
【図６】
2011145914.tif 000008
【図７】
2011145914.tif 000009